(57)【要約】      （修正有）【課題】作業者が手軽に省力でマンホール蓋を開くことができるようにし、マンホール蓋の操作における安全性を向上させるマンホール蓋の開閉省力装置を提供する。【解決手段】マンホール台座１と、マンホール蓋枢着台２と、枢軸３と、少なくとも１つのばね４とからなり、マンホール台座の両端にマンホール縁結合部と主枢着部が設けられ、主枢着部に主軸穴が設けられ、マンホール蓋枢着台の両端にマンホール蓋結合部と副枢着部が設けられ、副枢着部に主軸穴に対応する副軸穴が設けられるとともに副軸穴の外縁周囲の副枢着部に少なくとも１つの第１位置決め部品２２５が設けられる。枢軸は主軸穴と副軸穴内に軸通され、枢軸に第２位置決め部品３１が設けられ、ばねは枢軸に套設さればねの両端は第１及び第２位置決め部品によって位置決めされる。マンホール縁結合部はマンホールの縁部で、マンホール蓋結合部はマンホール蓋縁部で接合される。【選択図】図３
0003215028.tif 000002
【実用新案登録請求の範囲】
【請求項１】
マンホール台座と、マンホール蓋枢着台と、枢軸と、少なくとも１つのばねと、からなるマンホール蓋の開閉省力装置であり、
前記マンホール台座の両端には、マンホール縁結合部及び主枢着部がそれぞれ設けられ、前記主枢着部には主軸穴が設けられ、
前記マンホール蓋枢着台の両端には、マンホール蓋結合部及び副枢着部がそれぞれ設けられ、前記副枢着部には、前記主軸穴に対応する副軸穴が設けられるとともに、前記副軸穴の外縁周囲における副枢着部上には、少なくとも１つの第１位置決め部品が設けられ、
前記枢軸は前記主軸穴と副軸穴の中を軸通し、前記枢軸上には第２位置決め部品が設けられ、
前記少なくとも１つのばねは、前記枢軸に套設され、前記ばねの両端を第１端及び第２端とし、前記第１端及び第２端は、前記第１位置決め部品と第２位置決め部品の位置付けにそれぞれ合わせられ、前記ばねの弾性により前記マンホール蓋結合部とマンホール縁結合部は互いに開くことを特徴とするマンホール蓋の開閉省力装置。
【請求項２】
前記マンホール縁結合部の両端には、２つのマンホール縁部を接合するのに用いられる主係合アームと溝がそれぞれ設けられ、前記主枢着部の両端には、前記溝内で嵌合するバンプ及び前記主軸穴がそれぞれ設けられ、前記マンホール蓋結合部には、２つのマンホール蓋縁部を接合するのに用いられる副係合アームが設けられることを特徴とする、請求項１に記載のマンホール蓋の開閉省力装置。
【請求項３】
前記主枢着部には、前記主軸穴を垂直を通る調整ねじ穴が設けられるとともに、前記調整ねじ穴内には調整ねじが螺合され、前記枢軸の外周壁には、前記調整ねじ穴と調整ねじに対応する凹部が設けられ、前記調整ねじは、前記調整ねじ穴の内ねじ山に合わせて動かされ前記凹部の方向及び前記凹部の反対方向に移動し、前記凹部は、前記調整ねじに押されることで前記枢軸を回転させたり回転を阻止したりすることで、前記枢軸により前記ばねを締め付けさせたり緩めさせたりすることを特徴とする、請求項１或いは請求項２に記載のマンホール蓋の開閉省力装置。
【請求項４】
前記副枢着部には２つの側板が設けられ、前記２つの側板上にはそれぞれ前記副軸穴が設けられ、前記主枢着部は前記２つの側板の間に設けられることを特徴とする、請求項１或いは請求項２に記載のマンホール蓋の開閉省力装置。
【請求項５】
前記副枢着部の側板の両面は外壁及び内壁をそれぞれ備え、前記主枢着部には管体が設けられ、前記主軸穴は前記管体の両端の間に設けられることで、前記管体の両端には前記主軸穴の外縁周囲を取り囲む円環面がそれぞれ形成され、前記側板の内壁が前記管体の円環面に接することで、前記側板の外壁には前記第１位置決め部品が設けられることを特徴とする、請求項４に記載のマンホール蓋の開閉省力装置。
【請求項６】
前記第１位置決め部品は、前記ばねにおける第１端の移動を阻止する長方形の箱であるとともに、前記側板の外壁には筐体が設けられることで、前記枢軸とばねは前記筐体内に収容されると同時に、前記筐体には開口部が設けられ、前記第１位置決め部品の長方形の箱の外縁周囲に位置決めされて設置されることを特徴とする、請求項５に記載のマンホール蓋の開閉省力装置。
【請求項７】
前記第２位置決め部品は、前記枢軸の端部に設けられるカードトレイであり、前記ばねの第２端は前記カードトレイ内に連結されることを特徴とする、請求項１或いは請求項２に記載のマンホール蓋の開閉省力装置。
【請求項８】
前記主枢着部には前記主軸穴を垂直に通る穿孔が設けられ、前記枢軸の外周壁には前記穿孔に対応する環状溝が設けられるとともに、前記穿孔内には前記環状溝に延入する位置制限部品が設けられることで、前記位置制限部品は前記枢軸が前記主軸穴、副軸穴以外の方向に移動しないようにすることを特徴とする、請求項１或いは請求項２に記載のマンホール蓋の開閉省力装置。
【考案の詳細な説明】
【技術分野】
【０００１】
本考案は作業者が手軽に、省力でマンホール蓋を開けることができるようにするマンホール蓋の開閉省力装置に関し、特に、前記マンホール蓋の開閉省力装置のマンホール台座、マンホール蓋枢着台、枢軸、ばねに関する。
【背景技術】
【０００２】
従来のマンホール蓋は、通常ヒンジによってマンホールの縁に接合されており、前記マンホール蓋を前記ヒンジによって上に開けるまたは下に閉じることで、前記マンホールを開けたり閉めたりすることができる。しかしながら、この種のマンホール蓋は一般的に相当重く、作業者がマンホール蓋を上に開ける際、マンホール蓋を上に持ち上げるのには比較的大きな力が必要であるため、マンホールを開ける操作の過程は骨が折れる、不便な状況となっている。さらに、マンホール蓋を開ける過程において、作業者の加える力が足りなかった場合、マンホール蓋自体の重量が比較的重いためマンホール蓋が落ちてしまいマンホールに蓋をしてしまう、またはひっくり返ってマンホールの横に落ちるという状況が起こりやすく、安全に関わる事故が発生する可能性が高い。
【考案の概要】
【考案が解決しようとする課題】
【０００３】
本考案は、マンホール台座と、マンホール蓋枢着台と、枢軸と、少なくとも１つのばねと、からなるマンホール蓋の開閉省力装置を提供することを目的とする。
【課題を解決するための手段】
【０００４】
前記マンホール台座の両端には、マンホール縁結合部及び主枢着部がそれぞれ設けられ、前記主枢着部には、主軸穴が設けられる。前記マンホール蓋枢着台の両端には、マンホール蓋結合部及び副枢着部がそれぞれ設けられ、前記副枢着部には、前記主軸穴に対応する副軸穴が設けられるとともに、前記副軸穴の外縁周囲における副枢着部上には、少なくとも１つの第１位置決め部品が設けられる。前記枢軸は、前記主軸穴と副軸穴の中に軸通され、前記枢軸上には、第２位置決め部品が設けられる。前記少なくとも１つのばねは、前記枢軸に套設され、前記ばねの両端を第１端及び第２端とする。前記第１端及び第２端は、前記第１位置決め部品と第２位置決め部品の位置付けにそれぞれ合わせられる。
【考案の効果】
【０００５】
上述により、前記マンホール縁結合部は、マンホールの縁部で接合され、前記マンホール蓋結合部は、マンホール蓋縁部で接合され、作業者が前記マンホール蓋を下におろし前記マンホールに蓋をする場合、前記マンホール蓋の重量により、前記マンホール蓋枢着台の第１位置決め部品は前記ばねを動かして締め付けることができ、前記ばねに弾力を蓄積させると同時に、ばねの弾力により前記マンホール蓋が下におろされ前記マンホールに蓋をする際の移動速度を落とさせることができる。作業者が前記マンホール蓋を前記マンホールから上向きに開ける場合、前記ばねの弾性により前記マンホール蓋結合部とマンホール縁結合部は互いに開くことで、作業者は、手軽に、省力で前記マンホール蓋を開けることができると同時に、前記マンホール蓋の開閉操作時における安全性が向上する。
【０００６】
これにより、前記マンホール蓋枢着台が前記枢軸とばねによって前記マンホール台座を枢着する構造は単純で、コストを節約でき、占用スペースを小さくすることができる。さらに前記マンホール蓋枢着台とマンホール台座の取り付けと取り外しは簡単に行うことができ、寸法や大きさの異なる各種のマンホール蓋とマンホールに取り付けることができるため適用範囲が広い。特に前記マンホール蓋結合部とマンホール縁結合部を互いに開かせたり、閉じさせたりする操作の際、前記マンホール蓋が前記マンホール蓋枢着台により前記ばねの弾力を負荷することで、作業者は手軽に、省力で前記マンホール蓋を開閉できるという效果があり、さらに使用時、操作時の安全性と利便性が向上する。上述の主な構造特徴に基づき、前記マンホール縁結合部の両端には２つのマンホール縁部をそれぞれ接合するのに用いられる主係合アームと溝が設けられ、前記主枢着部の両端には、前記溝内で嵌合することのできるバンプ及び前記主軸穴がそれぞれ設けられ、前記マンホール蓋結合部には２つのマンホール蓋縁部を接合するのに用いられる副係合アームが設けられる。
【図面の簡単な説明】
【０００７】
【図１】本考案の比較的好ましい実施例の斜視図である。
【図２】図１の使用状態を示した斜視図である。
【図３】図２の内部構造を示した斜視図である。
【図４】図２の斜視分解図である。
【図５】図１の断面図である。
【図６】図１の使用状態を示した図である。
【図７】図１の別の使用状態を示した図である。
【考案を実施するための形態】
【０００８】
参照する図１から図５は、本考案における実施方法の図式を示しており、上述の図式の説明の通り、本考案のマンホール蓋の開閉省力装置は、マンホール台座１と、マンホール蓋枢着台２と、枢軸３と、ばね４と、からなる結合構造である。
【０００９】
採用した比較的好ましい実施例において、前記マンホール台座１の両端には、マンホール縁結合部１１及び主枢着部１２がそれぞれ設けられ、前記主枢着部１２には、主軸穴１２３が設けられる。具体的には、前記マンホール縁結合部１１の両端には２つの主係合アーム１１１と溝１１２がそれぞれ設けられ、前記主係合アーム１１１は、マンホール８１（図６に図示）の縁部を接合するのに用いることができる。前記主枢着部１２の両端には、バンプ１２１及び管体１２２がそれぞれ設けられ、前記主枢着部１２におけるバンプ１２１は、前記マンホール縁結合部１１の溝１１２内で嵌合され、固定される。前記主軸穴１２３は、前記管体１２２の両端の間に設けられることで、前記管体１２２の両端には、前記主軸穴１２３の外縁周囲を取り囲む円環面１２４がそれぞれ形成される。
【００１０】
図に示す通り、前記マンホール蓋枢着台２の両端には、マンホール蓋結合部２１及び副枢着部２２がそれぞれ設けられ、前記副枢着部２２には、前記主軸穴１２３に対応する副軸穴２２４が設けられるとともに、前記副軸穴２２４の外縁周囲の副枢着部２２上には、少なくとも１つの第１位置決め部品２２５が設けられる。具体的には、前記マンホール蓋結合部２１には、２つの副係合アーム２１１が設けられ、前記副係合アーム２１１は、マンホール蓋８２（図６に図示）の縁部を接合するのに用いられることができる。前記副枢着部２２には、２つの互いに対称である側板２２１が設けられ、前記副枢着部２２の側板２２１の両面は、外壁２２２及び内壁２２３をそれぞれ備えるとともに、前記２つの側板２２１上には、前記副軸穴２２４がそれぞれ設けられることで、前記副軸穴２２４は前記外壁２２２と内壁２２３との間を通じる。前記マンホール台座１の主枢着部１２は、前記２つの側板２２１の間に設けられることで、前記主軸穴１２３と両側の副軸穴２２４は互いに通じる。さらに前記側板２２１の内壁２２３は、前記管体１２２の円環面１２４に接することで、前記側板２２１の内壁２２３は、前記管体１２２の円環面１２４によって動かされてスライドする。前記側板２２１の外壁２２２には、前記第１位置決め部品２２５が設けられ、前記第１位置決め部品２２５は、長方形の箱であることができる。
【００１１】
前記枢軸３は、前記主枢着部１２、副枢着部２２の主軸穴１２３、副軸穴２２４内を軸通し、前記枢軸３上には、第２位置決め部品３１が設けられ、前記第２位置決め部品３１は、前記枢軸３の端部に設けられるカードトレイであることができる。本実施例において、前記第１位置決め部品２２５、第２位置決め部品３１、ばね４はすべて２組にすることができ、前記２つの側板２２１の外壁２２２には、前記第１位置決め部品２２５がそれぞれ設けられ、前記枢軸３の両端には、前記第２位置決め部品３１がそれぞれ設けられる。前記ばね４は、コイルばねであることができ、前記ばね４の両端をそれぞれ第１端４１及び第２端４２とするとともに、各ばね４を前記枢軸３の両端にそれぞれ套設する。そのうち、前記ばね４の第１端４１は、前記第１位置決め部品２２５の長方形の箱内に延設されることで、前記第１位置決め部品２２５の長方形の箱により、前記ばね４の第１端４１が動くのを阻止することができる。前記ばね４の第２端４２は、前記第２位置決め部品３１のカードトレイ内に連結されることで、前記ばね４の第１端４１と第２端４２は前記第１位置決め部品２２５と第２位置決め部品３１の位置付けにそれぞれ合わせられる。さらに、前記側板２２１の外壁２２２には、筐体５を設けることができることで、前記枢軸３とばね４は、前記筐体５内に収容されると同時に、前記筐体５には開口部５１が設けられ、前記第１位置決め部品２２５における長方形の箱の外縁周囲に位置決めされて設置されるため、外部のほこり、油汚れ、または液体が前記枢軸３とばね４の間の動きに影響を及ぼすのを防ぐことができる。
【００１２】
図１及び図５に示す通り、実行可能な実施例において、前記主枢着部１２の管体１２２の外周壁には穿孔１２５が設けられ、前記穿孔１２５は前記主軸穴１２３を垂直に通る。さらに前記穿孔１２５内には内ねじ山を設けることができ、前記枢軸３の外周壁には、前記穿孔１２５に対応する環状溝３２を設けることができるとともに、前記穿孔１２５内には前記環状溝３２に延入することのできる位置制限部品７が設けられ、前記位置制限部品７はボルトであることができることで、前記位置制限部品７は前記穿孔１２５内で固定されると同時に、前記位置制限部品７は前記環状溝３２に延入されることで、前記枢軸３が前記主軸穴１２３、副軸穴２２４以外の方向に動かないようにされる。
【００１３】
図３及び図６を参照する。作業者が前記マンホール蓋８２を下におろし前記マンホール８１に蓋をする場合、前記マンホール蓋枢着台２により、前記枢軸３を軸心として前記マンホール蓋８２を下方向に振り動かすことができる。この時、前記枢軸３が前記ばね４の第２端４２を固定している状況下において、前記マンホール蓋８２の重量により、前記マンホール蓋枢着台２の第１位置決め部品２２５が前記ばね４の第１端４１を押して動かし、さらに前記ばね４を締め付けることができることで、前記ばね４に弾力を蓄積させると同時に、前記ばね４の弾力により前記マンホール蓋８２が下におろされ前記マンホール８１に蓋をする際の移動速度を落とさせることができ、作業者が挟まれてけがをするのを防止する。図３及び図７を参照する。作業者が前記マンホール蓋８２を前記マンホール８１から上向きに開ける（または開く）際、前記マンホール蓋枢着台２により、前記枢軸３を軸心として前記マンホール蓋８２を上向きに振り動かすことができる。この時、前記ばね４の弾力により第１端４１が前記第１位置決め部品２２５を押すようにし、前記マンホール蓋枢着台２の副係合アーム２１１を動かして逆方向に回転させることができることで、弾性により前記マンホール蓋結合部２１とマンホール縁結合部１１が動かされて互いに開く。さらに作業者は、手軽に、省力で前記マンホール蓋８２を開けることができると同時に、前記マンホール蓋８２の開閉操作時における安全性が向上する。
【００１４】
明らかな点として、前記マンホール蓋枢着台２が前記枢軸３とばね４によって前記マンホール台座１を枢着する構造は単純で、コストを節約でき、占用スペースを小さくすることができる。さらに前記マンホール蓋枢着台２とマンホール台座１の取り付けと取り外しは簡単に行うことができ、寸法や大きさの異なる各種のマンホール蓋８２とマンホール８１に取り付けることができるため適用範囲が広い。特に前記マンホール蓋結合部２１とマンホール縁結合部１１を互いに開かせたり、閉じさせたりする操作の際、前記マンホール蓋８２が前記マンホール蓋枢着台２により前記ばね４の弾力を負荷することで、作業者は手軽に、省力で前記マンホール蓋８２を開閉できるという效果があり、さらに使用時、操作時の安全性と利便性が向上する。
【００１５】
図４及び図５に示すように、別の実行可能な実施例において、前記主枢着部１２の管体１２２の外周壁には調整ねじ穴１２６が設けられ、前記調整ねじ穴１２６は前記主軸穴１２３を垂直に通るとともに、前記調整ねじ穴１２６内には調整ねじ６が螺合される。前記枢軸３の外周壁には凹部３３が設けられるとともに、前記凹部３３は前記調整ねじ穴１２６と調整ねじ６に対応する。これにより、作業者は前記調整ねじ６を回転させることができることで、前記調整ねじ６は、前記調整ねじ穴１２６の内ねじ山に合わせて動かされ、前記凹部３３の方向及び前記凹部３３の反対方向に移動させられる。作業者が前記調整ねじ６を前記凹部３３の方向に移動するよう調整すると、前記凹部３３は、前記調整ねじ６に押されることで前記枢軸３を僅かに回転するよう動かし、前記枢軸３がきつく締まるようにする。或いは、作業者が前記調整ねじ６が前記凹部３３の反対方向に向かって定位置まで移動するよう調整すると、前記凹部３３は、前記調整ねじ６によって押されることで前記枢軸３が回転するのを阻止し、それにより、前記枢軸３が前記ばね４を緩める。これにより、作業者が前記マンホール蓋８２を開ける際に加える力の大きさを任意で調整することができる。
【符号の説明】
【００１６】
１  マンホール台座
１１  マンホール縁結合部
１１１  主係合アーム
１１２  溝
１２  主枢着部
１２１  バンプ
１２２  管体
１２３  主軸穴
１２４  円環面
１２５  穿孔  
１２６  調整ねじ穴
２  マンホール蓋枢着台
２１  マンホール蓋結合部
２１１  副係合アーム
２２  副枢着部
２２１  側板  
２２２  外壁  
２２３  内壁
２２４  副軸穴
２２５  第１位置決め部品
３  枢軸
３１  第２位置決め部品
３２  環状溝
３３  凹部  
４  ばね
４１  第１端
４２  第２端
５  筐体
５１  開口部
６  調整ねじ
７  位置制限部品
８１  マンホール
８２  マンホール蓋
【図１】
0003215028.tif 000003
【図２】
0003215028.tif 000004
【図３】
0003215028.tif 000005
【図４】
0003215028.tif 000006
【図５】
0003215028.tif 000007
【図６】
0003215028.tif 000008
【図７】
0003215028.tif 000009